(57)【要約】【課題】  従来の分割映像の不連続補正は、「エンコード時に自身に取り込む映像以外にそれぞれ隣接する映像を取り込む」、「デコード時にデコードした映像を隣接するそれぞれのデコーダに渡しそれぞれのデコーダのデコード映像を取り込む」、「分割映像毎に拡張と補正の処理方法を分ける」等が必要であった。  上記問題点を解決し、分割映像毎にエンコード、デコードが可能でかつ分割映像毎に異なる処理を行う必要がない方法を提供することを課題としている。【解決手段】  本発明のエンコード、デコードによる分割映像間の不連続補正は、分割映像毎のエンコーダとデコーダとにより、デコード映像を１枚で結合表示した時の分割映像間不連続をデコードデータと各枠データの加重加算により補正する。【選択図】  図５
2013146000.tif 000002
【特許請求の範囲】
【請求項１】
１画面映像を分割してエンコード後に送信し、受信後にデコードして結合表示する映像送受信システムにおいて、隣接した分割映像情報を使用することなく、各分割映像間の不連続を補正することを特徴とする分割映像の不連続補正方法。
【請求項２】
上記分割映像の不連続補正方法は、分割映像毎にＪＰＥＧ２０００エンコードし、更に分割映像の上下および／または左右の数ラインおよび／または数ドットをパケタイズして同時に送信することを特徴とする請求項１に記載の不連続補正方法。
【請求項３】
上記分割映像の不連続補正方法は、ＪＰＥＧ２０００エンコードデータとパケタイズデータとを受信し、結合表示する為の出力映像を補正することを特徴とする請求項１、２に記載の不連続補正方法。
【発明の詳細な説明】
【技術分野】
【０００１】
本発明は、複数に分割された映像を分割映像毎にエンコードし一括して伝送する装置と、前記伝送装置の前記エンコードデータを前記分割映像毎にデコードし複数に分割し出力する装置において、前記分割のデコード映像を１画面で表示した時に発生する分割映像間の映像の不連続を補正する方法に関するものである。
【背景技術】
【０００２】
従来の分割映像をエンコードする装置およびデコードする装置で用いる分割映像間の映像の不連続を補正する方法は、本来の解像度より拡張した解像度でエンコードし、デコード後に拡張した映像を用いて、隣接する映像との不連続を補正する方法がある。
【０００３】
上記の方法の場合、エンコーダは解像度を拡張する為に自身に入力する映像以外にそれぞれ隣接する映像を取り込む必要がある。また、デコーダはデコードした映像を隣接するそれぞれのデコーダに渡し、それぞれのデコーダのデコード映像を取り込み、それぞれの映像を用いて隣接する映像との不連続を補正する必要がある。さらに、エンコードする装置およびデコードする装置は分割映像の部分によって拡張処理と補正処理の方法を分ける必要がある。
【先行技術文献】
【特許文献】
【０００４】
【特許文献１】特開２００６−０１９８０５号公報
【発明の概要】
【発明が解決しようとする課題】
【０００５】
しかしながら、従来の方法は、「エンコード時に自身に取り込む映像以外にそれぞれ隣接する映像を取り込む」、「デコード時にデコードした映像を隣接するそれぞれのデコーダに渡しそれぞれのデコーダのデコード映像を取り込む」、「分割映像の部分によって拡張処理と補正処理の方法を分ける」必要があるという問題があった。
【０００６】
本発明は、上記問題点を解決し、分割された映像だけでエンコードおよびデコードが可能でかつ分割映像によって異なる処理を行う必要がない方法を提供することを課題としている。
【課題を解決するための手段】
【０００７】
上記問題を解決する為に、本発明のエンコード装置とデコード装置のシステムによる分割映像間の不連続補正方法は、分割された映像を分割映像毎にエンコードし一括して伝送する装置と、前記伝送装置の前記エンコードデータを前記分割映像毎にデコードし割出力する装置において、前記デコード映像を１画面で表示した時に発生する分割映像間の映像の不連続を補正する方法を特徴としている。
【０００８】
この発明によれば、分割した映像をのみエンコーダに入力し、デコードした映像を他のデコーダと引渡しを行う必要がなく、分割映像毎に処理を変える必要が無くなる。よって、エンコーダおよびデコーダの周辺の配線が複雑にならなくなり、分割映像毎の配置を不要にすることが可能である。
【発明の効果】
【０００９】
本発明によれば、分割映像をエンコーダおよびデコーダを選定することなく配置でき、複雑な配線を排除することが可能なので、システム上の紛らわしさを排除するという効果がある。
【図面の簡単な説明】
【００１０】
【図１】エンコーダ装置及びデコーダ装置の図である。
【図２】従来の補正回路を組み込んだ図である。
【図３】従来の補正方法によるエンコーダ装置側の処理の図である。
【図４】従来の補正方法によるデコーダ側の処理の図である。
【図５】本発明の補正方法の図である。
【図６】本発明の補正方法を組み込んだエンコーダ装置の図である。
【図７】本発明の枠映像領域の図である。
【図８】本発明の補正方法を組み込んだデコーダ装置の図である。
【図９】本発明の合成領域の図である。
【図１０】水平方向に分割した映像の図である。
【図１１】垂直方向に分割した映像の図である。
【発明を実施するための形態】
【００１１】
以下図面を用いて、本発明の実施例を田の字に映像を分割した場合を用いて説明する。
【００１２】
本発明は、エンコーダ装置１００とデコーダ装置１３０からなるシステム構成になる。図１にシステム構成を示す。
【００１３】
１枚の映像を田の字に分割し分割映像１０１〜１０４にした後、エンコーダ装置１００は分割映像毎にエンコーダ回路１０５に映像を入力し、分割映像毎にエンコードしエンコードデータ１０６〜１０９に変換して出力する。出力したエンコードデータ１０６〜１０９は、マルチプレクサ１１０ａに入力される伝送信号Ａ１２０にエンコードデータＡ１０６を多重し伝送信号Ｂ１２１を出力する。マルチプレクサ１１０ｂに入力される伝送信号Ｂ１２１にエンコードデータＢ１０７を多重し伝送信号Ｃ１２２を出力する。マルチプレクサ１１０ｃに入力される伝送信号Ｃ１２２にエンコードデータＣ１０８を多重し伝送信号Ｄ１２３を出力する。マルチプレクサ１１０ｄに入力される伝送信号Ｄ１２３にエンコードデータＤ１０９を多重し伝送信号Ｅ１２４を出力する。
【００１４】
デコーダ装置１３０はエンコーダ装置１００から出力した伝送信号Ｅ１２４を入力し、デマルチプレクサ１３１で多重されているエンコードデータ１３２〜１３５を個々にデマルチプレックスしデコーダ回路１３６に入力する。デコーダ回路１３６は入力したエンコードデータ１３２〜１３５をデコードしデコード映像１３７〜１４０を出力する。
【００１５】
以上により、分割された映像をエンコードしデコードすることが可能となる。但し、分割前の映像は１枚の映像の為、分割してエンコードしデコードした場合、分割映像間の継ぎ目（境界）に連続性が無くなり１枚の映像として映した場合に継ぎ目（境界）で劣化が発生してしまう。
【００１６】
次に、分割映像間の継ぎ目（境界）の劣化を補正する為に行う従来の方法を図２で説明する。
【００１７】
分割映像２００〜２０３はエンコード前に拡張回路２１０〜２１３を通し、映像を拡張する。その後、拡張映像２１４〜２１７をエンコード装置２１８に入力しエンコードを行い、伝送信号Ａ２２０に各エンコードデータを多重し、多重した伝送信号Ｅ２２４を出力する。
【００１８】
伝送信号Ｅ２２４はデコーダ装置２３０で拡張映像毎のエンコードデータをデマルチプレックスしデコードする。次にデコード映像２３１〜２３４を分解回路２３５〜２３８に通し分解分割映像Ａ２４１、分解右映像Ａ２４２、分解下映像Ａ２４３、分解右下映像Ａ２４４、分解分割映像Ｂ２５１、分解左映像Ｂ２５２、分解下映像Ｂ２５３、分解左下映像Ｂ２５４、分解分割映像Ｃ２６１、分解右映像Ｃ２６２、分解上映像Ｃ２６３、分解右上映像Ｃ２６４、分解分割映像Ｄ２７１、分解左映像Ｄ２７２、分解上映像Ｄ２７３、分解左上映像Ｄ２７４に分解する。分解した映像を補正回路２８０〜２８３に入力し映像を補正して、拡張前と同じ解像度の補正映像２８４〜２８７を出力する。
【００１９】
次にエンコーダ装置前の拡張回路で行う処理を図３で説明する。
【００２０】
１枚映像３００を田の字に分割し分割映像３０１〜３０４にする。分割映像３０１の拡張を行う場合、拡張回路では分割映像３０２の左側映像αドット３２１を分割映像３０１の右に、分割映像３０３の上映像αライン３３２を分割映像３０１の下に、分割映像３０４の左上映像αドット×αライン３４３を分割映像３０１の右下にそれぞれ足して拡張映像Ａ３５０にする。
【００２１】
同様に分割映像３０２に対して分割映像３０１の右映像αドット３１１を左に、分割映像３０３の右上映像αドット×αライン３３３を左下に、分割映像３０４の上映像αライン３４２を下に足し拡張映像Ｂ３５１にする。
【００２２】
分割映像３０３に対して分割映像３０１の下映像αライン３１２を上に、分割映像３０２の左下映像αドット×αライン３２３を右上に、分割映像３０４の左映像αドット３４１を右に足し拡張映像Ｃ３５２にする。
【００２３】
分割映像３０４に対して分割映像３０１の右下映像αドット×αライン３１３を左上に、分割映像３０２の下映像αライン３２２を上に、分割映像３０３の右映像αドット３３１を左に足し拡張映像Ｄ３５３にする。αドット、αラインは通常、劣化する映像の２倍のドット幅、ライン幅に設定する。
【００２４】
次にデコーダ装置後の分解回路および補正回路で行う処理を図４で説明する。
【００２５】
デコード映像Ａ４０１を分解回路に入力し、分解分割映像Ａ４１０、分解右映像Ａ４１１、分解下映像Ａ４１２、分解右下映像Ａ４１３に分解する。
【００２６】
デコード映像Ｂ４０２を分解回路に入力し、分解分割映像Ｂ４２０、分解左映像Ｂ４２１、分解下映像Ｂ４２２、分解左下映像Ｂ４２３に分解する。
【００２７】
デコード映像Ｃ４０３を分解回路に入力し、分解分割映像Ｃ４３０、分解右映像Ｃ４３１、分解上映像Ｃ４３２、分解右上映像Ｃ４３３に分解する。
【００２８】
デコード映像Ｄ４０４を分解回路に入力し、分解分割映像Ｄ４４０、分解左映像Ｄ４４１、分解上映像Ｄ４４２、分解左上映像Ｄ４４３に分解する。
【００２９】
分解後、補正映像Ａ４５４を生成する為に、補正回路に分解分割映像Ａ４１０、分解左映像Ｂ４２１、分解上映像Ｃ４３２、分解左上映像Ｄ４４３を入力し分解分割映像Ａ４１０以外の分解映像の１／２を使用して分解分割映像Ａ４１０に対して補正を行う。
【００３０】
同様に補正映像Ｂ４６４を生成する為に、補正回路に分解分割映像Ｂ４２０、分解右映像Ａ４１１、分解右上映像Ｃ４３３、分解上映像Ｄ４４２を入力し分解分割映像Ｂ４２０以外の分解映像の１／２を使用して分解分割映像Ｂ４２０に対して補正を行う。
【００３１】
補正映像Ｃ４７４を生成する為に、補正回路に分解分割映像Ｃ４３０、分解下映像Ａ４１２、分解左下映像Ｂ４２３、分解左映像Ｄ４４１を入力し分解分割映像Ｃ４３０以外の分解映像の１／２を使用して分解分割映像Ｃ４３０に対して補正を行う。
【００３２】
補正映像Ｄ４８４を生成する為に、補正回路に分解分割映像Ｄ４４０、分解右下映像Ａ４１３、分解下映像Ｂ４２２、分解右映像Ｃ４３１を入力し分解分割映像Ｄ４４０以外の分解映像の１／２を使用して分解分割映像Ｄ４４０に対して補正を行う。
【００３３】
以上の拡張回路、分解回路、補正回路により１枚の映像で映した時に発生する分割映像間の継ぎ目（境界）の劣化を押さえる事が出来る。しかし、従来の補正方法を行う場合、各分割映像および各デコード映像をそれぞれの処理系統に入力しなければなら為、配線や処理が膨大になってしまう。また、エンコード,デコードする映像毎に処理を変更する必要があり、汎用性が無い。
【００３４】
次に、本発明の補正方法を図５にて説明する。分割映像は１枚映像５００を分割映像５０１〜５０４に分割した物である。
【００３５】
分割映像Ａ５０１をエンコードする場合、２つの処理を行う。１つは通常のエンコード処理を行い、エンコードデータＡ５０５を生成する。もう1つは分割映像Ａ５０１から枠映像Ａ５０９を抽出し、抽出映像のみ束ね枠映像データＡ５１３を生成する。次にエンコードデータＡ５０５および枠映像データＡ５１３をパケタイズしパケットデータＡ５１７にする。
【００３６】
同様に、分割映像５０２〜５０４をエンコードしてエンコードデータ５０６〜５０８を、枠映像５１０〜５１２を抽出し枠映像データ５１４〜５１６を生成する。生成した各エンコードデータと各枠映像データをパケタイズしてパケットデータ５１８〜５２０にし、各パケットデータをデコーダに伝送する。
【００３７】
伝送先で分割映像Ａ５０１のデコードする場合、まずパケットデータＡ５１７を伝送路から抽出する。抽出したパケットデータＡ５１７からエンコードデータＡ５０５と枠映像データＡ５１３に分離し、エンコードデータＡ５０５は通常のデコードを行い、デコード映像Ａ５２１を生成する。枠映像データＡ５１３は復元させ枠映像Ａ５０９を生成する。デコード映像Ａ５２１と枠映像Ａ５０９を生成後、デコード映像Ａ５２１に対して枠映像Ａ５０９を重ね合わせて合成し継ぎ目（境界）の劣化を補正する。
【００３８】
合成方法は、外周は枠映像Ａ５０９の使用率を高くし、映像の内部に行くにつれてデコード映像Ａ５２１の使用率を上げて行き枠映像Ａ５０９の映像がない部分は完全にデコード映像Ａ５２１になるようにし補正し、合成映像Ａ５２５を生成する。
【００３９】
パケットデータ５１８〜５２０についても同様の補正方法を用い合成映像５２６〜５２８を生成する。
【００４０】
以上により、分割映像５０１〜５０４の処理が従来の補正方法のような前記拡張回路、分解回路、補正回路を使用することなく、エンコードからデコードにかけて全て同じ処理で補正を行える。また、補正範囲が枠状になっているので、分割映像毎の専用エンコーダおよび専用デコーダとして動作させる必要がなくなりシステム構築を容易にする事が可能となる。
【００４１】
次に、本発明の補正方法を用いたエンコーダ装置の構成を図６にて説明する。エンコーダ装置６００には分割された分割映像６０１〜６０４を入力する。
【００４２】
分割映像Ａ６０１はエンコーダ回路６０５ａと枠映像抽出回路６１０ａに入力する。枠映像抽出回路６１０ａで抽出する枠映像は図７にある様に映像を枠状に上８ライン、下８ライン、左８ドット、右８ドットを抽出する。抽出した枠映像Ａ６１１は枠映像データ化回路６１５ａで抽出映像のみを束ね一旦フレームメモリー６１６ａに書き込む。フレームメモリー６１６ａはエンコーダ回路６０５ａが映像を入力してから３フレーム後にエンコードデータＡ６０６を出力するのでその遅延を吸収する為に使用する。エンコードデータＡ６０６と枠映像データＡ６１７をパケタイズに入力しパケットデータＡ６２２を生成する。
【００４３】
分割映像６０２〜６０４も同様の処理を行い、パケットデータ６２３〜６２５を生成する。
【００４４】
生成したパケットデータ６２２〜６２５をマルチプレクサ６２６でＳＤＩ信号Ａ６３０に多重しＳＤＩ信号Ｅ６３４を出力する。各マルチプレクサ６２６では、多重位置設定６２８からの位置情報６２７に従い、パケットデータを指定の位置に多重する。
【００４５】
次に、本発明の補正方法を用いたデコーダ装置の構成を図８にて説明する。
【００４６】
デコーダ装置８０１では、デマルチプレクサ８０２でエンコーダ装置から伝送されたＳＤＩ信号Ｅ８００に多重されているパケットデータ８０４〜８０７を抽出する。各パケットデータの抽出位置は多重位置設置８３４の位置情報８０３に従い抽出を行う。
【００４７】
抽出したパケットデータＡ８０４の場合、パケットデータＡ８０４をエンコードデータ抽出回路８０８ａおよび枠映像データ抽出回路８１８ａに入力し、エンコードデータＡ８０９と枠映像データＡ８１９を抽出する。エンコードデータＡ８０９はデコーダ回路８１３ａに入力しデコード映像Ａ８１４を生成する。枠映像データＡ８１９は枠映像復元回路８２３ａに入力し一旦フレームメモリー８２４ａに書き込む。フレームメモリー８２４ａはデコーダ回路がエンコードデータを入力してから３フレーム後にデコード映像を出力するのでその遅延を吸収する為に使用する。デコーダ回路８１３ａからのデコード映像Ａ８１４と枠映像復元回路８２３ａからの枠映像Ａ８２５を映像合成回路８２９ａに入力し、デコード映像の上に枠映像を合成し、継ぎ目（境界）の劣化を補正し合成映像Ａ８３０を出力する。
【００４８】
映像合成回路８２９ａの合成の方法は図９にある様に映像の外枠から本例では８段目までを合成する。それ以降はデコード映像のままを使用する。デコード映像と枠映像の使用比率は１段目が０％：１００％、２段目が１２．５％：８７．５％、３段目が２５％：７５％、４段目が３７．５％：６２．５％、５段目が５０％：５０％、６段目が６２．５％：３７．５％、７段目が７５％：２５％、８段目が８７．５％：１２．５％、９段目以降が１００％：０％で合成を行う。
【００４９】
パケットデータ８０５〜８０７も同様の処理を行い、合成映像８３１〜８３３を出力する。
【００５０】
尚田の字分割ではなく、図１０に示す様に水平方向に分割した映像や図１１に示す様に垂直方向に分割した映像に対しても、エンコーダ側で枠映像データの様に部分非圧縮データをパケタイズし伝送する事で、デコーダ側でデコード映像と受信した部分非圧縮データの復元映像を用いて合成を行う事で、分割映像間の継ぎ目（境界）を補正する事も可能である。
【００５１】
図１０に示す水平方向に分割した映像の場合、垂直方向に分割映像間の継ぎ目（境界）が発生する。したがって、垂直方向だけの枠映像を抽出し枠映像データにしてエンコードデータとパケタイズして一緒に伝送し、デコード側で復元した枠映像とデコード映像を合成して補正を行う。
【００５２】
図１１に示す垂直方向に分割した映像の場合、水平方向に分割映像間の継ぎ目（境界）が発生する。したがって、水平方向だけの枠映像を抽出し枠映像データにしてエンコードデータとパケタイズして一緒に伝送し、デコード側で復元した枠映像とデコード映像を合成して補正を行う。
【００５３】
図１０や図１１に示す分割方法の場合、分割映像間の継ぎ目（境界）に対してのみ枠映像データを抽出する事で、伝送するデータ量を減らし伝送帯域を削減する事が可能である。
【符号の説明】
【００５４】
１００  エンコーダ装置
１０１  分割映像Ａ
１０２  分割映像Ｂ
１０３  分割映像Ｃ
１０４  分割映像Ｄ
１０５  エンコーダ回路
１０６  エンコードデータＡ
１０７  エンコードデータＢ
１０８  エンコードデータＣ
１０９  エンコードデータＤ
１１０  マルチプレクサ
１２０  伝送信号Ａ
１２１  伝送信号Ｂ
１２２  伝送信号Ｃ
１２３  伝送信号Ｄ
１２４  伝送信号Ｅ
１３０  デコーダ装置
１３１  デマルチプレクサ
１３２  エンコードデータＡ
１３３  エンコードデータＢ
１３４  エンコードデータＣ
１３５  エンコードデータＤ
１３６  デコーダ回路
１３７  デコード映像Ａ
１３８  デコード映像Ｂ
１３９  デコード映像Ｃ
１４０  デコード映像Ｄ
２００  分割映像Ａ
２０１  分割映像Ｂ
２０２  分割映像Ｃ
２０３  分割映像Ｄ
２１０  拡張回路Ａ
２１１  拡張回路Ｂ
２１２  拡張回路Ｃ
２１３  拡張回路Ｄ
２１４  拡張映像Ａ
２１５  拡張映像Ｂ
２１６  拡張映像Ｃ
２１７  拡張映像Ｄ
２１８  エンコーダ装置
２２０  伝送信号Ａ
２２１  伝送信号Ｂ
２２２  伝送信号Ｃ
２２３  伝送信号Ｄ
２２４  伝送信号Ｅ
２３０  デコーダ装置
２３１  デコード映像Ａ
２３２  デコード映像Ｂ
２３３  デコード映像Ｃ
２３４  デコード映像Ｄ
２３５  分解回路Ａ
２３６  分解回路Ｂ
２３７  分解回路Ｃ
２３８  分解回路Ｄ
２４１  分解分割映像Ａ
２４２  分解右映像Ａ
２４３  分解下映像Ａ
２４４  分解右下映像Ａ
２５１  分解分割映像Ｂ
２５２  分解左映像Ｂ
２５３  分解下映像Ｂ
２５４  分解左下映像Ｂ
２６１  分解分割映像Ｃ
２６２  分解右映像Ｃ
２６３  分解上映像Ｃ
２６４  分解右上映像Ｃ
２７１  分解分割映像Ｄ
２７２  分解左映像Ｄ
２７３  分解上映像Ｄ
２７４  分解左上映像Ｄ
２８０  補正回路Ａ
２８１  補正回路Ｂ
２８２  補正回路Ｃ
２８３  補正回路Ｄ
２８４  補正映像Ａ
２８５  補正映像Ｂ
２８６  補正映像Ｃ
２８７  補正映像Ｄ
３００  １枚映像
３０１  分割映像Ａ
３０２  分割映像Ｂ
３０３  分割映像Ｃ
３０４  分割映像Ｄ
３１１  分割映像Ａの右映像
３１２  分割映像Ａの下映像
３１３  分割映像Ａの右下映像
３２１  分割映像Ｂの左映像
３２２  分割映像Ｂの下側映像
３２３  分割映像Ｂの左下映像
３３１  分割映像Ｃの右映像
３３２  分割映像Ｃの上映像
３３３  分割映像Ｃの右上映像
３４１  分割映像Ｄの左映像
３４２  分割映像Ｄの上映像
３４３  分割映像Ｄの左上映像
３５０  拡張映像Ａ
３５１  拡張映像Ｂ
３５２  拡張映像Ｃ
３５３  拡張映像Ｄ
４０１  デコード映像Ａ
４０２  デコード映像Ｂ
４０３  デコード映像Ｃ
４０４  デコード映像Ｄ
４１０  分解分割映像Ａ
４１１  分解右映像Ａ
４１２  分解下映像Ａ
４１３  分解右下映像Ａ
４２０  分解分割映像Ｂ
４２１  分解左映像Ｂ
４２２  分解下映像Ｂ
４２３  分解左下映像Ｂ
４３０  分解分割映像Ｃ
４３１  分解右映像Ｃ
４３２  分解上映像Ｃ
４３３  分解右上映像Ｃ
４４０  分解分割映像Ｄ
４４１  分解左映像Ｄ
４４２  分解上映像Ｄ
４４３  分解左上映像Ｄ
４５１  分解左映像Ｂの１／２
４５２  分解上映像Ｃの１／２
４５３  分解左上映像Ｄの１／４
４５４  補正映像Ａ
４６１  分解右映像Ａの１／２
４６２  分解上映像Ｄの１／２
４６３  分解右上映像Ｃの１／４
４６４  補正映像Ｂ
４７１  分解左映像Ｄの１／２
４７２  分解下映像Ａの１／２
４７３  分解左下映像Ｂの１／４
４７４  補正映像Ｃ
４８１  分解右映像Ｃの１／２
４８２  分解下映像Ｂの１／２
４８３  分解右下映像Ａの１／４
４８４  補正映像Ｄ
４９０  復元補正映像
５００  １枚映像
５０１  分割映像Ａ
５０２  分割映像Ｂ
５０３  分割映像Ｃ
５０４  分割映像Ｄ
５０５  エンコードデータＡ
５０６  エンコードデータＢ
５０７  エンコードデータＣ
５０８  エンコードデータＤ
５０９  枠映像Ａ
５１０  枠映像Ｂ
５１１  枠映像Ｃ
５１２  枠映像Ｄ
５１３  枠映像データＡ
５１４  枠映像データＢ
５１５  枠映像データＣ
５１６  枠映像データＤ
５１７  パケットデータＡ
５１８  パケットデータＢ
５１９  パケットデータＣ
５２０  パケットデータＤ
５２１  デコード映像Ａ
５２２  デコード映像Ｂ
５２３  デコード映像Ｃ
５２４  デコード映像Ｄ
５２５  合成映像Ａ
５２６  合成映像Ｂ
５２７  合成映像Ｃ
５２８  合成映像Ｄ
５２９  復元補正映像
６００  エンコーダ装置
６０１  分割映像Ａ
６０２  分割映像Ｂ
６０３  分割映像Ｃ
６０４  分割映像Ｄ
６０５  エンコーダ回路
６０６  エンコードデータＡ
６０７  エンコードデータＢ
６０８  エンコードデータＣ
６０９  エンコードデータＤ
６１０  枠映像抽出回路
６１１  枠映像Ａ
６１２  枠映像Ｂ
６１３  枠映像Ｃ
６１４  枠映像Ｄ
６１５  枠映像データ化回路
６１６  フレームメモリー
６１７  枠映像データＡ
６１８  枠映像データＢ
６１９  枠映像データＣ
６２０  枠映像データＤ
６２１  パケタイズ
６２２  パケットデータＡ
６２３  パケットデータＢ
６２４  パケットデータＣ
６２５  パケットデータＤ
６２６  マルチプレクサ
６２７  位置情報
６２８  多重位置設定
６３０  ＳＤＩ信号Ａ
６３１  ＳＤＩ信号Ｂ
６３２  ＳＤＩ信号Ｃ
６３３  ＳＤＩ信号Ｄ
６３４  ＳＤＩ信号Ｅ
８００  ＳＤＩ信号Ｅ
８０１  デコーダ装置
８０２  デマルチプレクサ
８０３  位置情報
８０４  パケットデータＡ
８０５  パケットデータＢ
８０６  パケットデータＣ
８０７  パケットデータＤ
８０８  エンコードデータ抽出回路
８０９  エンコードデータＡ
８１０  エンコードデータＢ
８１１  エンコードデータＣ
８１２  エンコードデータＤ
８１３  デコーダ回路
８１４  デコード映像Ａ
８１５  デコード映像Ｂ
８１６  デコード映像Ｃ
８１７  デコード映像Ｄ
８１８  枠映像データ抽出回路
８１９  枠映像データＡ
８２０  枠映像データＢ
８２１  枠映像データＣ
８２２  枠映像データＤ
８２３  枠映像復元回路
８２４  フレームメモリー
８２５  枠映像Ａ
８２６  枠映像Ｂ
８２７  枠映像Ｃ
８２８  枠映像Ｄ
８２９  映像合成回路
８３０  合成映像Ａ
８３１  合成映像Ｂ
８３２  合成映像Ｃ
８３３  合成映像Ｄ
【図１】
2013146000.tif 000003
【図２】
2013146000.tif 000004
【図３】
2013146000.tif 000005
【図４】
2013146000.tif 000006
【図５】
2013146000.tif 000007
【図６】
2013146000.tif 000008
【図７】
2013146000.tif 000009
【図８】
2013146000.tif 000010
【図９】
2013146000.tif 000011
【図１０】
2013146000.tif 000012
【図１１】
2013146000.tif 000013
【手続補正書】
【提出日】平成25年5月22日(2013.5.22)
【手続補正１】
【補正対象書類名】図面
【補正対象項目名】全図
【補正方法】変更
【補正の内容】
【図１】
2013146000.tif 000014
【図２】
2013146000.tif 000015
【図３】
2013146000.tif 000016
【図４】
2013146000.tif 000017
【図５】
2013146000.tif 000018
【図６】
2013146000.tif 000019
【図７】
2013146000.tif 000020
【図８】
2013146000.tif 000021
【図９】
2013146000.tif 000022
【図１０】
2013146000.tif 000023
【図１１】
2013146000.tif 000024